(57)【特許請求の範囲】
【請求項１】
基部ストリップ、特に熱可塑性材料からなる基部ストリップと、前記ストリップから作製された少なくとも１つの締結要素とを備え、前記締結要素が、ステム（１７）と前記ステムから側方に突出する頭部とから構成され、前記頭部が、横方向すなわちＣＤ方向に前記ステムから側方に突出している２つの左翼（３３）および右翼（３４）を備え、一方、前記２つの翼の間において放射状に、後方突出部（３５）が、前記ＣＤ方向に対して直角であるＭＤ方向において前記ステムの後方側から突出する、シートにおいて、前記翼（３３，３４）の横方向すなわちＣＤ方向の２つの締結角度のそれぞれの最大値が、前記後方突出部（３５）の後方側の締結角度の最大値より大きいことを特徴とする、シート。
【請求項２】
前記頭部が、前部において、すなわち前記突出部とは反対側において、前記ステムから側方に突出しないことを特徴とする、請求項１に記載のシート。
【請求項３】
前記ステム（１７）が、断面が実質的に矩形状であることを特徴とする、請求項１または２に記載のシート。
【請求項４】
前記頭部が、前記後方突出部の側の前記ステムの各後縁（３１）から延出して前記後方突出部の外縁（２２）程度まで延在するリブ（３９）の形態の２つの突起を備えることを特徴とする、請求項３に記載のシート。
【請求項５】
各リブが、それが延出する起点である前記ステムのそれぞれの後縁（３１）から連続している隆起を有することを特徴とする、請求項４に記載のシート。
【請求項６】
前記頭部と前記ステムとの間の画成面（Ｍ１Ｍ２）が、前記基部の面に対して後部に向かう方向において下方に傾斜していることを特徴とする、請求項３〜５のいずれか一項に記載のシート。
【請求項７】
前記後方突出部とは反対側において、前記頭部の上面が凹状領域（３６）を備え、この凹状領域が、後方では隆起線（３７）により、前方では前記画成面（Ｍ１Ｍ２）によって画成されることを特徴とする、請求項６に記載のシート。
【請求項８】
前記隆起線（３７）が、前記ステムの軸を通る前記頭部の前後軸のそれぞれ右側および左側の前記頭部の２つの最高点である２つの右頂点（３８）および左頂点（３８）を含むことを特徴とする、請求項７に記載のシート。
【請求項９】
前記２つの点（３８）が前記後方突出部の外縁（２２）より前記頭部の前縁に近いことを特徴とする、請求項８に記載のシート。
【請求項１０】
前記凹状領域（３６）に対して前記隆起線（３７）の他方の側において、すなわち前記方向ＭＤにおける後方側において、前記頭部の上面が凸状であり、前記凸状の上面が、前記後方突出部の外縁（２２）、前記２つの翼の外縁（２１，２３）、前記２つの頂点（３８）の間に延在する前記隆起線（３７）の部分、及び前記隆起線（３７）の各端部から側方に翼の各外縁（２１，２３）まで延びる２つの中間隆起部分（４４，４５）により画成されることを特徴とする、請求項８〜９のいずれか一項に記載のシート。
【請求項１１】
請求項１に記載の締結要素を有するシートを製造する方法であって、
プリフォームを有するシートであって、基部ストリップと、前記基部ストリップから交差方向に突出する少なくとも１つのプリフォームとを備えるシートを搬送するステップと、支持要素の湾曲したまたは直線状の支持面と加圧要素の湾曲したまたは直線状の加圧面との間に形成された隙間内に、前記プリフォームを有するシートを、プリフォームのない面を前記支持面と接触させて支持した状態で通過させるステップであって、前記２つの面は湾曲する場合は両者の凹面が同じ方向に向けられ、前記隙間が入口厚さと前記入口厚さより小さい出口厚さとを有し、前記支持要素が前記プリフォームを有するシートを駆動速度で駆動する間に前記加圧面が固定されるかまたは前記駆動速度より低い速度で変位する、ステップとを含み、前記基部ストリップの厚さと各プリフォームの高さとの合計からなる全高が、前記入口と前記出口との間に位置する点における厚さより大きくなるようにし、前記隙間の厚さをこの点から前記出口に向けて低減させ、それにより、前記出口に向かって圧縮を増大させることにより前記プリフォームを変形させて、締結要素を有するシートが得られるようにする方法において、
前記隙間内に搬送される前記プリフォームを有するシートは、基部ストリップと、前記基部ストリップから交差方向に突出しているステムとを備えるシートを、予備支持要素と予備加圧要素との間に搬送するステップによって得られ、
前記予備支持要素及び前記予備加圧要素の両者の間に予備隙間が形成されることにより、前記ステムが、前記予備加圧要素によって前記予備支持要素に対して圧縮され、それにより、前記予備支持要素及び前記予備加圧要素の両者の間の前記予備隙間の上流で、前記プリフォームの高さが、前記ステムの高さより小さくされ、前記予備隙間の前記出口において、シートと端部に側方に突出する頭部を有するプリフォームとを備えた、前記プリフォームを有するシートが得られ、
前記予備支持要素が、前記予備隙間の領域において前記シートの搬送方向で測定される第１の速度（Ｖ１）で変位し、前記予備加圧要素が、前記予備隙間の領域において前記シートの搬送方向で測定される第２の速度（Ｖ２）で変位し、前記２つの速度が方向は同じであるが互いに異なることを特徴とする方法。
【請求項１２】
請求項１に記載の締結要素を有するシートを製造するように意図された設備であって、湾曲したまたは直線状の支持面を有する第１の支持要素、及び、湾曲したまたは直線状の加圧面を有する加圧要素、並びに、プリフォームを有するシートを、プリフォームのない面を支持しつつ前記２つの要素の間の隙間内に入るように搬送するように意図された手段を備え、前記支持面および前記加圧面が湾曲する場合に両者はそれらの凹面がそれらの間に前記隙間を形成するように同じ方向に向けられて配置され、前記隙間は入口厚さと前記入口厚さより小さい出口厚さとを有し、前記支持要素が前記シートを駆動速度で駆動する間に前記加圧面がゼロ速度で、または前記駆動速度より低い速度で変位する、設備であって、
さらに、前記隙間内に搬送される前記プリフォームを有するシートを得る予備装置を備え、
該予備装置は、基部ストリップと、前記基部ストリップから交差方向に突出しているステムとを備えるシートを、予備支持要素と予備加圧要素との間に搬送するものであり、
前記予備支持要素及び前記予備加圧要素の両者の間に予備隙間が形成されることにより、前記ステムが、前記予備加圧要素によって前記予備支持要素に対して圧縮され、それにより、前記予備支持要素及び前記予備加圧要素の両者の間の前記予備隙間の上流で、前記プリフォームの高さが、前記ステムの高さより小さくされ、前記予備隙間の前記出口において、シートと端部に側方に突出する頭部を有するプリフォームとを備えた、前記プリフォームを有するシートが得られ、
前記予備支持要素が、前記予備隙間の領域において前記シートの搬送方向で測定される第１の速度（Ｖ１）で変位し、前記予備加圧要素が、前記予備隙間の領域において前記シートの搬送方向で測定される第２の速度（Ｖ２）で変位し、前記２つの速度が方向は同じであるが互いに異なることを特徴とする装置。
【発明の詳細な説明】
【技術分野】
【０００１】
本発明は、特に熱可塑性材料からなるシートから構成される（雄−雌型）フック・アンド・ループタイプのタッチ・アンド・クローズ要素の雄部材を形成するように意図されている締結要素を有するシートであって、そのシートから、ステムを備える締結要素が突出し、ステムは、シートに対して横方向に、特に実質的に直角に延在し、かつステムから側方に突出する頭部によって終端する、シートに関する。
【０００２】
本発明はまた、この種のシートを製造する設備に加えて、この種のシートを製造する方法に関する。
【背景技術】
【０００３】
マッシュルーム形状のフックを有する、すなわち熱可塑性材料からなるストリップから構成され、ストリップからマッシュルーム形状の締結要素が突出し、それらは各々、シートに対して実質的に直角なステムから構成されるとともに、前記ステムの周囲全体にステムから側方に突出する頭部から構成される、シートを製造するために、実質的に、以降溶融と呼び、液体ではなく、ただし完全に固体ではないが、部分的に軟化した形態で、押出機から熱可塑性材料を押し出して、加圧ローラと成形ローラとの間でシートを成形しかつ搬送し、成形ローラが、相補的なステム形状を有するキャビティを備え、それにより、シートが２つのローラ間を通過すると、材料の固化の後に、出口において、後に加圧によってかつ／または上部を加熱することによって実質的に変形してマッシュルーム形状の締結頭部を形成する、実質的に円筒状または円錐状のステムを備えたシートが得られることが、従来技術において既知である。
【０００４】
シートから作製されるこれらの締結要素は、ループ側のループと協働するように意図されており、ループ側は、たとえば、特に、縦糸、横糸およびループ糸を含む３本棒織機（three-bar loom）で作製されるループ状（編または織）布か、またはループを形成する不織布から構成されている。
【発明の概要】
【発明が解決しようとする課題】
【０００５】
ループ側と協働する時にあり得る最大引張強度および／または剥離強度を有する締結要素を提供することが望ましい。
【課題を解決するための手段】
【０００６】
本出願では、（ステムの中央長手方向軸、特にステムの中心を通る垂直軸に対する）所与の長手方向の放射状半断面における頭部の下面の湾曲の突出締結角度、または左、個々に右の締結角度とは、所与の放射状長手方向半断面において、一方でステムの長手方向軸（通常、垂直軸）に対して直角な軸（通常、水平軸）と、所与の放射状面の２つの点ＰｈおよびＰｂを通る直線であって、Ｐｂは、この放射状半平面においてステムから最も遠い頭部の点として、Ｐｈは、ステムから離れ点Ｐｂに向かう締結要素の頭部の下面の第１の点であって、この下面における接線が、前記直角の軸（通常、水平軸）に対して最も傾斜せず（絶対値で）、特にそれに対して平行である、点として定義される、直線との間に形成された角度αと理解される。特に、下面が、ステムから最も遠い点Ｐｂとは異なる最高点を含む場合、接線が最も傾斜していない、特に、通常水平軸である直角の軸に対して平行であるのは、この点である。
【０００７】
直線ＰｈＰｂが、ステムの長手方向軸に対して直角な軸（通常、水平軸）に対して下方に傾斜している場合、締結角度は負であり、それが上方に傾斜している場合、角度は正である。
【０００８】
本発明によれば、締結要素を有し、特に熱可塑性材料からなる基部ストリップと、ストリップから作製された少なくとも１つの締結要素とを備え、締結要素が、ステム部とステムから側方に突出する頭部とから構成され、頭部が、それぞれ左側および右側に最大である締結角度を有する、横方向すなわちＣＤにおいてステムから側方に突出している２つの左翼および右翼を備え、一方、２つの翼の間において放射状に、後方突出部が、方向ＣＤに対して直角である方向ＭＤにおいてステムの後方側から突出し、後側に最大である締結角度を有する、シートは、左側および右側に最大である２つの締結角度が、後側に最大である締結角度より大きいことを特徴とする。
【０００９】
したがって、本発明によれば、頭部は、締結要素がループと協働することに関して利点を提供する形状を有し、前記ループは、いくつかの「進入軸」に沿って容易にフックで留められることが可能であり、そのため、最も突出する部分によってより適切に支持される。
【００１０】
好ましくは、左側および右側の最大締結角度は厳密に正であり、一方で後側の締結角度はゼロかまたはゼロ未満である。
【００１１】
好ましくは、頭部は、前部において、すなわち突出部とは反対側において、ステムから側方に突出しない。
【００１２】
さらなる実施形態によれば、頭部は、前部においてもまたステムから突出し、それにより頭部はステムから３６０°にわたって突出し、したがって締結要素はマッシュルーム形状となる。
【００１３】
本発明の好ましい実施形態によれば、方向ＣＤにおける長手方向断面において、２つの左翼および右翼は、中心長手方向面ＭＤに対して実質的に対称である。
【００１４】
本発明の好ましい実施形態によれば、各翼が横方向において左側または右側に突出する距離は、前側から後側に向かう方向に、かつステムから最も遠い中間点まで漸次増大する。
【００１５】
好ましくは、ステムは、断面が多角形、特に実質的に矩形または正方形であり、好ましくは最大長手方向寸法の最大側方寸法の比が厳密に１〜２であり、長手方向寸法が好ましくは方向ＭＤに延在している形状を有する。
【００１６】
好ましい実施形態によれば、頭部は、リブの形態の２つの突起を備え、それらは、その後方の角によって形成されたステムの縁から頭部の外縁まで、特に、それぞれ左側または右側の翼と後方突出部とが接合される外縁の点まで延在する。
【００１７】
好ましくは、各リブは、それが延出する起点であるステムのそれぞれの縁から連続している隆起を有する。
【００１８】
好ましくは、頭部とステムとの間の画成面は、基部の面に対して後部に向かう方向において下方に傾斜している。
【００１９】
好ましくは、後方突出部とは反対側において、頭部の上面は凹状領域を備え、その凹面は、締結要素から離れる方向に向けられ、この凹状領域は、隆起線により後方にかつステム−頭部画成面によって前方に画成される。
【００２０】
好ましくは、隆起線は、ステムの軸を通る頭部の前後軸のそれぞれ右側および左側の頭部の２つの最高点である２つの右頂点および左頂点を含む。
【００２１】
好ましくは、２つの頂点は、後縁より前縁に近い。
【００２２】
これらの２つの頂点は、ループを、突出部とは反対の側に沿って締結要素に向かってそらすように、またはそれらを翼にそらすように、最適な方法で案内することにより、ループのあり得る最適なフック留めを促進する機能を有する。
【００２３】
本発明はまた、締結要素を有するシート、特に本発明による締結要素を有するシートを製造する方法に関する。
【００２４】
本発明によれば、締結要素を有するシートを製造する方法は、
プリフォームを有するシートであって、基部ストリップと、シートから横方向に、特に実質的に直角に突出する少なくとも１つのプリフォームとを備え、少なくとも１つのプリフォームが、たとえば正方形あるいは矩形および／または円錐形状の１つまたは複数の円筒状ステムである、シートが搬送されるステップと、
前記プリフォームを有するシートが、支持要素、特に支持ローラの湾曲したまたは直線状の支持面であって、支持が、シートがプリフォームのないその面により支持面と接触するようなものである、支持面と、加圧要素の湾曲したまたは直線状の加圧面との間に形成された隙間内に送られ、２つの支持面および加圧面の凹面が同じ方向に向けられており、隙間が、入口厚さと入口厚さより小さい出口厚さとを有し、支持要素が、プリフォームを有するシートを駆動速度で駆動し、その間に加圧面が固定されるかまたは駆動速度より低い速度で変位する、ステップと、
基部ストリップの厚さと各プリフォームの高さとの合計からなる全高が、入口と出口との間に位置する点における厚さより大きく、この点が入口となることができ、隙間の厚さがこの点から出口に向けて、特に出口まで低減し、それにより、出口に向かって圧縮を増大させることによりプリフォームが変形し、したがって締結要素を有するシートが得られる、ステップと、
を含む。
【００２５】
第１の好ましい実施形態によれば、支持要素はローラであり、加圧要素は円形の円筒状面を有し、その凹面は支持要素に向かって向けられており、２つの要素の配置は、２つの間に形成された隙間がその入口から出口まで低減するようなものである。
【００２６】
本発明の好ましい実施形態によれば、要素のうちの一方は周囲温度で維持され、もう一方の要素は、特に熱可塑性材料がポリオレフィン、たとえばＰＥ（ポリエチレン）あるいはＰＰ（ポリプロピレン）またはコポリマーである場合に、特に１００℃〜１６５℃の軟化温度（すなわち弾性変形の限界を超える温度）まで加熱される。
【００２７】
好ましくは、周囲温度で維持される要素は、支持要素、すなわちシートのステムと反対側の要素であり、一方で、加熱される要素は加圧要素である。
【００２８】
好ましくは、プリフォームは、ステムと、シートの前部の方向においてステムから突出する頭部とから構成され、低減する隙間の出口において、高温の加圧面によりかつもたらされた摩擦により頭部が変形した後、シートの後部の方向に、すなわちプリフォームの頭部に対して反対側に、特に製品の搬送方向とは反対側に突出している部分を有する、本発明による締結要素が得られる。
【００２９】
したがって、特に本発明によるように、張り出したかつ／または非対称の突出部を有する締結要素が得られる。
【００３０】
好ましくは、隙間内に搬送される、プリフォームを有するシートは、基部ストリップと、特に円筒形状、特に多角形、特に正方形あるいは矩形および／または円錐形の円筒形状である、シートから横方向に、特に実質的に直角に突出しているステムとを備える、ステムを有するシートを、予備支持要素、特に予備支持ローラと、予備加圧要素、特に予備加圧ローラとの間に搬送することによって得られ、
２つの予備支持要素と予備加圧要素との間に予備隙間が形成され、それにより、ステムが、予備加圧要素によって予備支持要素に対して圧縮され、それにより、予備隙間の出口において、シートと端部に側方に突出する頭部を有するプリフォームとを備えた、前記プリフォームを有するシートが得られ、プリフォームの高さは、２つの予備支持要素と予備加圧要素との間の予備隙間の上流で、ステムの高さより小さく、
予備支持要素は、予備隙間の領域においてシートの搬送方向で測定される第１の速度（Ｖ１）で変位し、予備加圧要素は、予備隙間の領域においてシートの搬送方向で測定される第２の速度（Ｖ２）で変位し、２つの速度は、特に絶対値が互いに異なる。
【００３１】
予備加圧要素すなわちローラの速度が予備支持要素すなわちローラの速度より大きい場合、プリフォームに対し、縦方向にステムの前方に張出しを有する「ハンチング（ｐｅａｋｅｄ  ｃａｐ）」の形状として知られる形状が得られ（図１に示す例）、一方で逆の場合、縦方向においてステムの後部に、「ハンチング」の形状として知られる張出し形状が得られる。
【００３２】
好ましくは、予備支持要素および支持要素は同じ要素、特にローラによって形成され、その一部が予備支持ローラとしての役割を果たし、さらなる部分が支持ローラとしての役割を果たす。
【００３３】
好ましくは、２つの予備支持要素および予備加圧要素は、半径が同じであるローラであり、それらの中心は、通過するシートに対する垂線に配置される。
【００３４】
好ましくは、予備隙間の正面に戻りローラが設けられる。
【００３５】
本発明はまた、特に本発明による、締結要素を有するシートを製造する設備に関する。
【００３６】
本発明によれば、締結要素を有するシートを製造するように意図された設備は、湾曲したまたは直線状の支持面を有する支持要素、特にローラならびに湾曲したまたは直線状の加圧面を有する加圧要素であって、２つの支持面および加圧面が、それらの凹面がそれらの間に隙間を形成するように同じ方向に向けられて配置された、支持要素および加圧要素と、プリフォームを有するシートを、２つの要素の間の隙間内に入るように搬送し、それによりシートがプリフォームのないその面によって支持されるように意図された手段であって、隙間が入口と出口との間に、かつ好ましくは入口と出口との間の少なくとも一部分にわたって延在し、隙間の厚さが出口に向かって低減する、手段と、を備え、支持要素は、シートを駆動速度で駆動し、その間に加圧面は固定されるか、または駆動速度より低い速度で変位する。
【００３７】
好ましい実施形態によれば、支持要素はローラであり、加圧要素は、湾曲した加圧面を備え、それはその凹面が支持ローラに向かって向けられており、この面は特に断面が円弧からなる。
【００３８】
好ましい実施形態によれば、予備支持要素、特に予備支持ローラと、予備加圧要素、特に予備加圧ローラとは、上流に設けられ、２つの予備要素の間に予備隙間が形成され、予備加圧要素は、予備隙間の領域において、搬送方向に測定される第１の変位速度Ｖ１を有し、予備支持要素は、予備隙間の領域において、搬送方向に測定される第２の変位速度Ｖ２を有し、それは速度Ｖ１とは異なる。
【００３９】
好ましくは、予備加圧要素は、予備支持要素の温度より高い温度、特に、熱可塑性材料がポリオレフィン、たとえばＰＥもしくはＰＰまたはコポリマーである場合は１００℃〜１６５℃の軟化温度まで加熱され、支持要素は、実質的に周囲温度、特に２０℃〜４０℃である。
【００４０】
好ましくは、予備支持要素はローラであり、支持要素は、同じローラから構成され、ローラの一部が予備支持要素を形成し、ローラのさらなる部分が支持要素を形成する。
【００４１】
好ましくは、加圧要素は、１００℃〜１６０℃の温度になる。
【００４２】
ここで、例として、図面を参照することにより、本発明による装置および本発明によって得られるステムを有するシートの実施形態について説明する。
【図面の簡単な説明】
【００４３】
【図１】締結要素を有する搬送されたシートも示す、本発明による設備の概略図である。
【図２】厚さが低減している隙間に入る前の、プリフォームを有するシートの部分の中央長手方向断面に沿った図である。
【図３】図２のプリフォームを有するシートの上方からの（図２の線ＩＩＩに沿った）図である。
【図４】ステムの中心軸を実質的に通る図２の線ＩＶ−ＩＶに沿った断面図である。
【図５】厚さが低減している隙間の出口で得られる締結要素を有するシートの部分の長手方向断面に沿った図である。
【図６】ステムの中心軸を実質的に通る、図５の線ＶＩ−ＶＩに沿った断面図である。
【図７】図５のシート部分の上方からの（図５の線ＶＩＩに沿った）図である。
【図８】頭部と角度Ａ、ＢおよびＣによって囲まれる円を示す、図７と同一のより大きい倍率での図である。
【図９】図７のより大きい倍率での図である。
【図１０】搬送されたシートのない図１の設備の図である。
【図１１】図５〜図７の締結要素の正面斜視図である。
【図１２】図１１の締結要素の側方（ＣＤ）からの図である。
【図１３】図１１および図１２の締結要素の下方からの後方斜視図である。
【図１４】図１１〜図１３の締結要素の下方からの正面斜視図である。
【図１５】図５〜図７および図１１〜図１４に概略的に示す締結要素の写真の複製である。
【図１６】図５〜図７および図１１〜図１４に概略的に示す締結要素の写真の複製である。
【図１７】図５〜図７および図１１〜図１４に概略的に示す締結要素の写真の複製である。
【図１８】図５〜図７および図１１〜図１４に概略的に示す締結要素の写真の複製である。
【図１９】図５〜図７および図１１〜図１４に概略的に示す締結要素の写真の複製である。
【発明を実施するための形態】
【００４４】
図１において、締結要素を有するシートを製造する設備を概略的に示す。
【００４５】
たとえば多角形、たとえば正方形あるいは矩形、または楕円形、特に円形、または同様のおよび／あるいは円錐形の断面の円筒状ステムを有するシート１が、ステムを有するシートを形成する図示しない装置から搬送され、装置は、通常、形成されることが望まれるステムに相補的な形状を有するキャビティを備えた成形ローラと、加圧ローラとを備え、前記ローラは互いに離れて隙間を形成し、その隙間に熱可塑性材料が、成形キャビティ内に押し込まれるように完全に固体でも液体でもないシート状の材料の形態で、押出によって運び込まれ、それにより、出口において、キャビティ内で成形することにより、キャビティの形状に相補的な形状、特に円筒形状、たとえば多角形、特に正方形あるいは矩形、または楕円形、特に円形、および／またはわずかに円錐形のステムを有する、シート１が得られる。
【００４６】
そして、ステム１を有するこのシートは、（特に戻りローラによって）支持ローラ３（予備支持ローラ）と第１の加圧ローラ４（予備加圧ローラ）との間に形成された第１の隙間２（予備隙間）内に搬送される。
【００４７】
２つのローラは実質的に直径が同じである。
【００４８】
図１に示すように、支持ローラ３は、シート１を駆動するように、ある回転速度で左回りに回転する。加圧ローラ４は、反対方向に回転する。それはまた、同じ方向に回転することもできる。２つのローラ間の隙間２は、２つのローラの間でそれらのそれぞれの中心を通る線に沿って測定された最短距離からなる深さを有し、その深さは、シートのストリップ５と、前記隙間の上流に搬送された、ステムを有するシートのステム６との全高より小さいように調整されている。
【００４９】
予備加圧ローラ４は、好ましくは周囲温度で維持されている支持ローラそれ自体の温度を上回る温度まで加熱される。特に、熱可塑性材料がポリオレフィンである場合、予備加圧ローラ４は、１１０℃〜１６５℃の温度まで加熱される。この温度は、２つのローラの間を通過しかつステムを有するシートを形成する熱可塑性材料の溶融温度を下回らなければならない。
【００５０】
予備加圧ローラ４の回転速度および予備支持ローラ３の速度は、予備隙間の領域においてシートの搬送方向に測定された加圧ローラの速度Ｖ１が、隙間の領域において同じ搬送方向に（すなわち、２つのローラが隙間を形成する領域において２つのローラに対して接線方向に）測定された支持ローラの速度Ｖ２とは異なるように選択される。
【００５１】
特に、図示する実施形態では、速度Ｖ１はＶ２より大きく、特に５〜２０％大きく、速度Ｖ２は、特に５〜１５ｍ／分であることが可能である。２つの速度は、反対方向に向けられる場合、Ｖ２の方向に測定され、したがってＶ１は負の速度を有し、したがってＶ２より小さい。
【００５２】
２つの予備ローラ３および４の間の第１の隙間２の出口において、ステムを有するシートは、基部５とステム７および頭部８からなる締結要素６’とを備える締結要素またはプリフォームを有するシートになる。頭部８は、搬送方向に対して進行方向にステムから突出している。依然として支持ローラ３によって支持されているシートは、第２の隙間１０内に搬送される。
【００５３】
この隙間１０は、ローラ３の円周部に沿って、２００ｍｍの長さの円弧にわたって延在している。
【００５４】
この隙間は、一方では支持ローラ３の外面の一部と、他方では加圧要素１２の断面（図の面）において円形である湾曲面１１との間に形成される。隙間は、入口点Ｅと出口点Ｄとの間に延在している。隙間の深さ、すなわち２つの対向する面、すなわち表面１１とローラ３の外面の一部分３０との間の距離は、点Ｅから点Ｄまで低減し、すなわちストリップが搬送される方向に低減する。深さは、ローラ３の外面の半径方向（接線に対して垂直）に測定される。それは、入口においておよそ１ｍｍであり、出口においておよそ０．４ｍｍである。隙間１０の第１の長さＢにわたり、厚さは、ストリップ５、および第１の隙間から現れるプリフォーム６’の全高より大きい。この第１の長さの間、シートおよびプリフォームは予熱され、その後、シートは第２の長さＣに入り、それは、深さが、ストリップ５およびプリフォーム６’の全高に等しく、後に下回り、それにより、表面１１と接触し、そこで、出口Ｄに近づくに従い圧力が増大する。この長さＣにわたり、頭部の最終的な形状が生成される。
【００５５】
加圧要素１２は固定されている（変位速度がゼロである）。それはまた、可動であるが、常に、Ｖ２の方向で測定される場合にその速度がＶ２を下回るように可動であってもよい。
【００５６】
対向する表面１１および３０の凹面は、同じ方向に、すなわち支持ローラ３の中心に向かって向けられている。必要な場合は、これらの２つの表面のいずれかまたは両表面は直線状または実質的に直線状である。
【００５７】
要素、特に加圧要素は、概して金属材料、特に硬質材料からなる。しかしながら、それらを、およそ１６０℃の温度に耐えることができる他の材料から作製してもよい。
【００５８】
同様に、支持ローラは金属からなる。しかしながら、それもまた、およそ４０°の温度に耐える他の任意の材料（ゴム、熱可塑性材料等）から作製してもよい。
【００５９】
図２において、長手方向断面での、すなわち方向ＭＤ（縦方向）に平行であるとともにシートの基平面に対して垂直である平面での、２つの予備支持ローラ３と加圧ローラ４との間の第１の予備隙間の出口における、プリフォームを有するシートの図を示す。基部に対して垂直または直角方向にシートの基部５から作製されたプリフォーム６’は、ステム７からなり、その断面、すなわち基部５に対して平行な平面における断面は、実質的に一様であるか、またはその頂点に向かってかつその頂点まで厳密に低減する（これは図に示す場合である）。このステム７は、その上端すなわち頂点において、ステム７から横方向に突出する頭部８によって延長される。プリフォームの実質的に中央部分である、図２に示す長手方向断面の図において、頭部８は、縦方向の前方側（図の左側）で突出し、後方側（すなわち図の右側）では突出せず、特に後方側では、締結能力はない。頭部８は、図３のように上方から見ると、断面が実質的に長円または楕円形状である上面を有する。それは、頭部の全周囲のおよそ２５％に対応するステムの周囲の弧にわたって延在する後方部を除き、ステムからステムの円周の大部分にわたって突出する。この割合は、本発明によれば、１５％〜５０％変化してもよい。これは、円形頭部の場合、およそ５０°〜１７０°、特におよそ９０°の角度部分に対応する。
【００６０】
突出しない頭部の部分は、この実施形態では、後端部に位置し、それは、予備加圧ローラが支持ローラより迅速に回転するためである。
【００６１】
図４において、横方向（ＣＤ）における断面に沿って、図２のプリフォームのうちの１つを示す。頭部８は、ステムの左側および右側両方において、この場合は実質的に等しい距離突出する。頭部８が方向ＣＤ（横方向）においてステム７に対して左側および右側から突出する、方向ＣＤにおいて測定される距離は、それがゼロであるステムの後側から、それが最大であるステムの前側まで増大する。
【００６２】
断面において、ステムは、矩形、正方形、多角形、円形、長円形または同様の断面を有することができる。好ましくは、図に示すように、それは矩形であり、その長さのその幅に対する比は好ましくは１〜２である。特に、その長さは、方向ＭＤに向けられており、その幅は方向ＣＤに向けられている。
【００６３】
図５〜図９および図１１〜図１５に、隙間１０の出口で得られるような、締結要素を有するシートを示す。各締結要素は、一定であるかまたは低減している断面（すなわち、ステムの軸が延在する方向（この実施形態では鉛直の方向）に対して直角の断面、但し、ステムの軸は鉛直に対して傾斜してもよいことは本発明の範囲内で完全に想定されている）を有するステム部１７からなる。締結要素の頭部１８は、ステム部１７から横方向に突出している。
【００６４】
本発明の範囲内で、フック、マッシュルームまたは締結要素は、２つの部分、すなわちステム部と、ステムから横方向に突出する頭部とを備える。下方に、頭部とステムとの間の画成面が画成され、それは、頭部およびステムが各々この面の一方の側にあるようになっている。
【００６５】
この平面を確定するために、ステムの後縁および前縁が画成され、それらは、ステムの外面の最後部点、それぞれステムの前方に最も遠い点を含む線である。
【００６６】
後縁の場合、点Ｍ２は、以下のような縁の点であるものとして定義される：ステムの（基部の領域における）底部から後縁に沿って頂部まで移動する場合、縁を形成する線が湾曲形状を有し始める点、特に、この点Ｍ２の下に位置する縁の部分に対して、後方に向かう点。なお、この点Ｍ２に至るまでは、後縁は概して垂直である（円筒状ステム）かまたは前部に対して傾斜している（円錐形ステム）。
【００６７】
前縁の場合、後側とは反対の側において、点Ｍ１は、前縁が湾曲形状を有し始める位置に対応するものとして定義される。なお、この点に至るまでは、前縁は概して垂直直線形状であるかまたは後方に傾斜している。
【００６８】
したがって、画成面は、直線Ｍ１Ｍ２を含むとともに、方向ＣＤに対して直角かつ平行である面である。
【００６９】
たとえば、ステムの断面が矩形または正方形であり、したがって４つの角を有する場合、ステムのそれぞれの縁に位置する、頭部の２つの画成する前方の点および２つの画成する後方の点が画成される。
【００７０】
前部では、後側とは反対の側において、２つの点は、前縁が、垂直かつ直線状であるかまたは後部に向かって傾斜している形状を有した後に湾曲形状を有し始める位置に対応する。
【００７１】
したがって、例として、図１１〜図１４の実施形態では、図１２に見ることができるように、特におよそ１０°、概して１°〜２０°である角度、下方にかつ後方に傾斜している直線Ｍ１Ｍ２が示されている。図示する場合では、点Ｍ１およびＭ２は、各側に２つの縁があるため二重に存在する（矩形または正方形の角毎に１つの縁がステムの断面を形成している）。
【００７２】
フックの長手方向断面における各平面において、平面においてステムからステムの右側および左側に突出する頭部の下面に対応する湾曲が画成されている。右側および左側への各湾曲は、最高の点Ｐｈと、それぞれ最高点の左または右側の最低の点Ｐｂとを含む。
【００７３】
上述したように、フック、マッシュルームまたは締結要素の突出は、所与の放射状長手方向半断面において、締結要素が出ているシートの水平面または基面と、２つの点ＰｂおよびＰｈを通る直線との間の角度であるものとして定義される。角度が大きいほど、所与の平面における頭部の突出が大きくなる。頭部の外側周縁は、すべての点Ｐｂを含む曲線Ｃｂであるものとして定義される。
【００７４】
図４および図５に見ることができるように、左側または右側への最大締結角度（２つの翼は対称である）は、ａに等しく、厳格に正であり、図示する直線ＰｈＰｂは、図６の左側放射状半面において下方に傾斜しており、一方で、図５に示す後部に対して最大の締結角度ｂは、負であり（図示する直線ＰｈＰＢは図５の後方放射状半面において上方に傾斜している）、したがって角度ａより小さい。
【００７５】
図７において、または図９において拡大して見ることができるように、頭部の外縁に対応する曲線Ｃｂは、前方湾曲部分２０、右中間部分４０、左中間部分４１、右側方湾曲部分２１、後方湾曲部分２２および左側方湾曲部分２３を含む。
【００７６】
同様に、曲線Ｃｈ（図９において点線で示す）は、前方湾曲部分２０（この部分に沿った頭部はステムから突出しないため、曲線Ｃｂの前方湾曲部分と同一である）、右中間部分４６、右側方湾曲部分２５、後方湾曲部分２６、左側方湾曲部分２７および左中間部分４７を含む。
【００７７】
これらの部分２０〜２７ならびに４０、４１、４６および４７は、円弧におよそ一致してもよい。
【００７８】
前方部分２０の凹面は、正面に向かって向けられている。後方部分２２の凹面は正面に向かって向けられている。部分２１、２２、２３、２５、２６、２７の凹面はステムに向かって向けられている。
【００７９】
中間部分４０〜４７の凹面は、要素の外側に向かって向けられている。
【００８０】
部分４０および４２ならびに４１および４３によってそれぞれ画成される領域は、凹状面を有し、その凹面は、要素の外側に向かって向けられている。
【００８１】
後方部分２６の凹面は、正面に向かって向けられている。部分２５および２７の凹面は、互いに対向してステムに向かって向けられている。
【００８２】
部分２６の曲率は部分２２の曲率より小さい（部分２６の曲率半径は部分２２の曲率半径より大きい）。
【００８３】
部分２１の曲率は部分２５の曲率より大きい（部分２１の曲率半径は部分２５の曲率半径より小さい）。
【００８４】
部分２３の曲率は部分２７の曲率より大きい（部分２３の曲率半径は部分２７の曲率半径より小さい）。
【００８５】
実質的に部分２２全体に沿って、特にその中心点すなわち最後部において、頭部の突出は実質的にゼロに等しい。
【００８６】
実質的に部分２３（個々に２１）全体にわたり、頭部の突出は、後方部分にわたる頭部の最大突出より大きい。
【００８７】
したがって、締結要素の頭部の側方領域にわたり、ループの牽引において優れた挙動を確実にするのを可能にする大きい突出があり、前方領域にわたり、ループが、頭部の側方翼と協働するために容易に案内されるのを可能にする小さい突出がある。
【００８８】
さらに、２つの中間部分４０および４１は、部分２０と、それぞれ部分２１および２３との間に延在する。
【００８９】
図１１〜図１４において、図５〜図７の実施形態のさまざまな斜視図を示している。
【００９０】
締結要素は、４つの角を有する矩形または正方形断面（締結要素が出ている基部ストリップに対して平行である）のステム部３０を備えている。したがって、ステム３０の高さに沿って、４つの縁３１は、基部から、実質的に締結要素の頭部３２が延出する高さまで上方に延在する。ステムの断面は矩形または正方形表面領域を有し、それは、基部から頭部が始まる高さ程度まで低減する。それはまた一定であってもよい。
【００９１】
方向ＣＤ（図１２の視軸）における２つの反対の側において、頭部は２つの翼３３、３４を備え、その外縁は部分２１および２３に対応している。方向ＭＤ（図１２に示す）における前方側では、頭部はステムから突出していない。方向ＭＤにおける後方側（図１２の左側）では、頭部は突出部３５を備え、その外縁は部分２２に対応する。
【００９２】
方向ＣＤにおいてステムから最も遠い箇所にある翼の締結突出または締結角度は、突出部の締結突出部すべてより大きい。
【００９３】
頭部の上面は、後方側に凹状領域３６を備え、その凹面は、締結要素から離れる方向に、特に上方に向けられている。この凹状領域は、後部において隆起線３７により、前部に対してステムにより特に部分２０により画成されている。
【００９４】
隆起線３７は、右部分４２、中心部分および左部分４３から構成されている。２つの右部分４２および左部分４３は、部分２０と、それぞれ中間右部分４０および中間左部分４１との接合部から、間に隆起線の中心部分が延在する、それぞれ２つの右頂点３８および左頂点３８まで延在している。この中心部分は最後中心点４９を含む。
【００９５】
さらに、右中間隆起線４４および左中間隆起線４５が、右翼および左翼の縁または部分２１および２３の前端を、２つの右頂点３８および左頂点３８にそれぞれ接続する。
【００９６】
頭部の外面は、凹状面３６から離れて、２つのさらなる右凹状面および左凹状面を備え、それらの凹面は外側に向かって向けられており、それらの凹状面は、部分４０、４２、４４および４１、４３、４５によってそれぞれ画成されている。
【００９７】
２つの頂点３８は、締結要素の上面の２つの最高点である。これらの２つの最高頂点３８の存在には、締結要素と協働するように意図されたループを、締結要素の直接前方に向かって、または翼３３、３４に向かって案内し、それによりループは、特に、締結要素に十分に締結され、優れた引張強度および／または剥離強度を有する雄・雌型タッチ・アンド・クローズ要素が得られる、という利点がある。
【００９８】
突出部３５の側では、２つのリブ３９が、ステムの後縁３１の上端部から、頭部の外縁２２（点Ｐｂの位置）程度まで延在している。これらのリブは、後縁３１から連続している隆起線を有する厚化の形状を有している。それらは、方向ＣＤにおいてステムに対して横方向にずれていることにより、方向ＭＤにおいて後側に位置する２つの点において、頭部の外縁まで延在する。これらの２つのリブは、ループと協働する場合により大きい引張強度および／または剥離強度を有する締結要素を提供する。
【００９９】
凹状領域３６に対して隆起線３７の他方の側では、すなわち方向ＭＤにおいて後方側では、頭部の上面は凸状であり、その凸面は上方に向けられており、その領域は、突出部の後外縁により、２つの翼の外縁により、２つの頂点３８間に延在する隆起線３７の部分により、かつ２つの中間隆起部分４４および４５により画成されている。
【０１００】
２つの翼３３、３４は外縁（部分Ｐｂの位置）を有し、それは、凸状の曲線湾曲（部分２１および２３）の形状を有し、その凸面は、方向ＣＤにおいて締結要素から離れる方向に向けられている。
【０１０１】
各翼に対し、突出締結角度は、端点３８の下方に位置する点Ｐｂから、方向ＭＤにおける後部まで増大している。この突出角度の増大は、ステムから最も遠い翼の縁の凸状の曲線湾曲の点に実質的に対応する中間点まで発生する。そして、この突出は、外縁が翼の縁でなくなるリブ３９まで低減し、突出角度が実質的にゼロである延長部の縁となる。
【０１０２】
本発明の好ましい実施形態によれば、
−基部ストリップは厚さが０．０５ｍｍ〜０．５ｍｍであり、
−ステムは、基部からの垂線に沿って基部から頂点まで測定される高さが、０．１ｍｍ〜２．５ｍｍであり、
−頭部は、後方側においてステムから突出し、方向ＭＤにおいて、この方向においてステムの断面の寸法の０．５％〜１００％の距離ｆにより測定され、
−方向ＣＤにおいて、頭部は、ステムの後端の領域において、方向ＣＤにおいて測定される距離、この方向においてステムの断面の寸法の５０％〜５００％の最大距離ｅ、突出する。
【０１０３】
頭部に内接する円Ｃｉは、中心Ｏ１が、締結要素の上方からの図において方向ＭＤにおける最前点Ｐ１（すなわち、方向ＭＤにおいて前部に向けて最も遠い頭部の上面の点）と、締結要素の上方からの図において方向ＭＤにおける最後点Ｐ２（すなわち、方向ＭＤにおいて後部に向けて最も遠い頭部の上面の点）との間の、これら２つの点を通る直線上の中間に位置する円として定義され、その半径は、この半分の距離に等しい。
【０１０４】
好ましくは、左翼および右翼の外周縁は、各々、図８ではおよそ１００°に等しく、概して６０°〜１４０°であってもよい、円Ｃｉの円弧Ｂに対応する長さにわたって延在する。突出部の外周縁は、図８ではおよそ８０°に等しく、概して４０°〜１２０°であり得る、円Ｃｉの円弧Ｃに対応する長さにわたって延在する。最後に、頭部がそれに沿ってステムから突出していない外周縁は、図８ではおよそ８０°に等しく、概して４０°〜１２０°であってもよい、Ｃｉの円弧Ａに対応する長さにわたって延在する。
【図１】
0005619147.tif 000002
【図２】
0005619147.tif 000003
【図３】
0005619147.tif 000004
【図４】
0005619147.tif 000005
【図５】
0005619147.tif 000006
【図６】
0005619147.tif 000007
【図７】
0005619147.tif 000008
【図８】
0005619147.tif 000009
【図９】
0005619147.tif 000010
【図１０】
0005619147.tif 000011
【図１１】
0005619147.tif 000012
【図１２】
0005619147.tif 000013
【図１３】
0005619147.tif 000014
【図１４】
0005619147.tif 000015
【図１５】
0005619147.tif 000016
【図１６】
0005619147.tif 000017
【図１７】
0005619147.tif 000018
【図１８】
0005619147.tif 000019
【図１９】
0005619147.tif 000020